(57)【要約】【課題】  クライアントの生活情報の推移データに基づいた使用機器の多様な状態制御を可能とする機器制御システムを実現する。【解決手段】  クライアントの生活情報に基づいて使用する機器の状態を制御する機器制御システムにおいて、  前記生活情報の推移データに基づいて前記複数の制御の段階から特別の制御段階を決定する制御段階出力手段と、  この制御段階出力手段の出力に基づいて前記機器をその制御段階で設定される状態に調整する操作手段と、を備える。【選択図】                    図１
2005253847.tif 000002
【特許請求の範囲】
【請求項１】
クライアントの生活情報に基づいて使用する機器の状態を制御する機器制御システムにおいて、
前記生活情報の推移データに基づいて前記複数の制御の段階から特別の制御段階を決定する制御段階出力手段と、
この制御段階出力手段の出力に基づいて前記機器をその制御段階で設定される状態に調整する操作手段と、
を備えたことを特徴とする機器制御システム。
【請求項２】
前記生活情報は、前記クライアントの不在室／在室，離床／在床，連打音検出，睡眠段階又は睡眠状態の少なくともいずれかであることを特徴とする請求項１に記載の機器制御システム。
【請求項３】
前記推移データは、睡眠周期回数計数値，指定睡眠段階計数値，睡眠評価指数算出値の少なくともいずれかであることを特徴とする請求項１又は２に記載の機器制御システム。
【請求項４】
前記機器の操作は、機器制御部の設定値変更，機器制御部の電源のＯＮ／ＯＦＦ，機器電源のＯＮ／ＯＦＦの少なくともいずれかであることを特徴とする請求項１乃至３のいずれかに記載の機器制御システム。
【請求項５】
前記推移データの値が所定の更新要因条件を満足するときに前記制御段階が更新されることを特徴とする請求項１乃至４のいずれかに記載の機器制御システム。
【請求項６】
前記生活情報より長期覚醒，長期離床，長期不在室の少なくともいずれかを検出した場合には、前記制御段階は強制的に初期状態に戻されることを特徴とする請求項１乃至５のいずれかに記載の機器制御システム。
【請求項７】
前記更新要因条件は、前記睡眠周期回数の指定回数への到達，前記指定睡眠段階又は睡眠状態の指定回数への到達，前記睡眠評価指数算出値の指定値への到達の少なくともいずれかであることを特徴とする請求項５に記載の機器制御システム。
【請求項８】
前記睡眠段階の差分の極性が連続して複数回同一極性である場合に睡眠はその極性方向の変化とみなし、その繰り返し回数に基づいて前記睡眠周期回数を計数することを特徴とする請求項５又は７に記載の機器制御システム。
【請求項９】
前記指定睡眠段階計数手段の入力情報は、前記睡眠段階，睡眠状態，不在室，離床，連打音検出の少なくともいずれかであることを特徴とする請求項５又は７に記載の機器制御システム。
【請求項１０】
前記睡眠評価指数算出値は、睡眠段階又は睡眠状態を変数とする関数値で与えられることを特徴とする請求項３に記載の機器制御システム。
【請求項１１】
前記関数値として、睡眠段階又は睡眠状態を変数とする時間積分値を算出することを特徴とする請求項１０に記載の機器制御システム。
【請求項１２】
前記関数値として、睡眠段階又は睡眠状態を変数とする時間微分値を算出することを特徴とする請求項１０に記載の機器制御システム。
【請求項１３】
前記関数値として、睡眠段階の遷移回数を変数とすることを特徴とする請求項１０に記載の機器制御システム。
【請求項１４】
一定時間内に一定数の打音を検出したときに連打音検出とすることを特徴とする請求項２に記載の機器制御システム。
【請求項１５】
打音間隔がほぼ一定の打音を一定数検出したときに連打音検出とすることを特徴とする請求項２に記載の機器制御システム。
【発明の詳細な説明】
【技術分野】
【０００１】
本発明は、クライアントの生活情報に基づいて使用する機器の状態を制御する機器制御システムに関する。
【背景技術】
【０００２】
クライアントの生活情報、特に睡眠段階情報に基づいてクライアントの使用する機器、例えばベッドやエアコン、照明具等を最適状態に操作するシステムに関連する先行技術文献としては次のようなものがある。
【０００３】
【特許文献１】特開２００３−３３９６７４号公報
【０００４】
特許文献１に開示された技術は、無拘束で得られる生体情報を利用し、国際的基準である睡眠の６段階に準拠した、現在の睡眠段階が６段階のどこであるかを、名義的な尺度で精度よくリアルタイムに推定する方法及びその方法を用いた装置であり、無拘束型生体センサで測定される生体の心拍変動情報並びに体動情報に基づき、睡眠の段階を名義的尺度で同定することを特徴としている。
【０００５】
図２及び図１の一部により、特許文献１の睡眠段階推定手段１９に開示されている技術で検出可能なクライアントの各種生体情報についての概要を説明する。クライアント３が就寝するエアマットレス１の圧力変動を無拘束型センサ手段４で検出し、フィルタ手段５を介して心拍、呼吸、いびきを抽出する。
【０００６】
これら生体情報及び赤外線カメラ１０の画像信号を入力する画像処理手段１１により得られる体動情報が点線のブロック９で示される睡眠段階推定演算部に入力され、信号処理されて心拍情報Ｉｂ、連続的睡眠段階情報Ｓｃ、名義的尺度による６段階睡眠情報Ｓａ、体動情報Ｉｍ、いびき情報Ｉｓ、呼吸情報Ｉｒが得られる。信号処理のアルゴリズムについては特許文献１に詳述されているので、ここでは説明を省く。
【０００７】
睡眠段階推定演算部９より得られるこれら生体情報は、記憶保持手段１８に保持されその総合情報Ｓｉを利用してクライアントの状態監視、データ記録、緊急通報、快適環境を維持するための機器制御等を実行する。特許文献１には、各種の機器制御の例が開示されている。
【発明の開示】
【発明が解決しようとする課題】
【０００８】
従来の機器制御システムでは、その時々の睡眠段階に対応した制御はできる。例えば、睡眠段階に１：１対応して照明器具の明るさ、音響機器の音量、暖房器具の設定温度の変更は可能であるが、その時点までの睡眠段階の推移状況に応じた多様な制御は不可能である。
【０００９】
従来システムでは、ある眠りの深さに達するまでは睡眠段階に１：１対応して照明を暗くする、音響機器の音量を小さくする、暖房器具の設定温度を下げることはできるが、その眠りの深さに達したら、それ以降は睡眠段階に関係なく照明を消す、音響機器の電源を切る、暖房を切るということは不可能である。即ち、一つの睡眠段階に対してそれまでの推移データ基づいて複数の異なる制御を指定することは不可能である。
【００１０】
従って本発明が解決しようとする課題は、クライアントの生活情報の推移データに基づいた使用機器の多様な状態制御を可能とする機器制御システムを実現することにある。
【課題を解決するための手段】
【００１１】
このような課題を達成するために、本発明の構成は次の通りである。
（１）クライアントの生活情報に基づいて使用する機器の状態を制御する機器制御システムにおいて、
前記生活情報の推移データに基づいて前記制御の段階を複数段に決定する制御段階出力手段と、
決定された前記制御段階情報に基づいて前記機器をその制御段階で設定される状態に調整する階操作手段と、
を備えたことを特徴とする機器制御システム。
【００１２】
（２）前記生活情報は、前記クライアントの不在室／在室，離床／在床，連打音検出，睡眠段階又は睡眠状態の少なくともいずれかであることを特徴とする（１）に記載の機器制御システム。
【００１３】
（３）前記推移データは、睡眠周期回数計数値，指定睡眠段階計数値，睡眠評価指数算出値の少なくともいずれかであることを特徴とする（１）又は（２）に記載の機器制御システム。
【００１４】
（４）前記機器の操作は、機器制御部の設定値変更，機器制御部の電源のＯＮ／ＯＦＦ，機器電源のＯＮ／ＯＦＦの少なくともいずれかであることを特徴とする（１）乃至（３）のいずれかに記載の機器制御システム。
【００１５】
（５）前記推移データの値が所定の更新要因条件を満足するときに前記制御段階が更新されることを特徴とする（１）乃至（４）のいずれかに記載の機器制御システム。
【００１６】
（６）前記生活情報より長期覚醒，長期離床，長期不在室の少なくともいずれかを検出した場合には、前記制御段階は強制的に初期状態に戻されることを特徴とする（１）乃至（５）のいずれかに記載の機器制御システム。
【００１７】
（７）前記更新要因条件は、前記睡眠周期回数の指定回数への到達，前記指定睡眠段階又は睡眠状態の指定回数への到達，前記睡眠評価指数算出値の指定値への到達の少なくともいずれかであることを特徴とする（５）に記載の機器制御システム。
【００１８】
（８）前記睡眠段階階の差分の極性が連続して複数回同一極性である場合に睡眠はその極性方向の変化とみなし、その繰り返し回数に基づいて前記睡眠周期回数を計数することを特徴とする（５）又は（７）に記載の機器制御システム。
【００１９】
（９）前記指定睡眠段計数手段の入力情報は、前記睡眠段階，睡眠状態，不在室，離床，連打音検出の少なくともいずれかであることを特徴とする（５）又は（７）に記載の機器制御システム。
【００２０】
（１０）前記睡眠評価指数算出値は、睡眠段階又は睡眠状態を変数とする関数値で与えられることを特徴とする（３）に記載の機器制御システム。
【００２１】
（１１）前記関数値として、睡眠段階又は睡眠状態を変数とする時間積分値を算出することを特徴とする請求項１０に記載の機器制御システム。
【００２２】
（１２）前記関数値として、睡眠段階又は睡眠状態を変数とする時間微分値を算出することを特徴とする（１０）に記載の機器制御システム。
【００２３】
（１３）前記関数値として、睡眠段階の遷移回数を変数とすることを特徴とする（１０）に記載の機器制御システム。
【００２４】
（１４）一定時間内に一定数の打音を検出したときに連打音検出とすることを特徴とする（２）に記載の機器制御システム。
【００２５】
（１５）打音間隔がほぼ一定の打音を一定数検出したときに連打音検出とすることを特徴とする（２）に記載の機器制御システム。
【発明の効果】
【００２６】
以上説明したことから明らかなように、本発明によれば次のような効果がある。
（１）多様性：その時々の睡眠段階に対応した制御だけではなく、その時点までの睡眠段階の推移に応じた多様な機器制御が可能となる。
【００２７】
（２）快適性：照明を明るくしたまま、又テレビ・ラジオをつけたまま寝てしまうということはよくあることである。そのため、睡眠途中で目覚めて寝直しをするので熟睡が妨げられる場合がある。また、朝起きるまで気がつかず、寝難い環境での睡眠のため熟睡できない場合がある。
【００２８】
本発明を利用すれば、照明を明るくしたまま、又テレビ・ラジオをつけたまま寝てしまっても、眠りが深くなったら自動的に照明を消す、またテレビ・ラジオを切ることができ、快適な睡眠をとることが可能になる。
【００２９】
（３）省エネ：本発明を利用すれば、暖房器具（エアコン、電気毛布）を使用する場合、暖房したまま寝てしまっても、眠りが深くなったら自動的にその暖房器具の電源を切ることができ、省エネが可能である。
【発明を実施するための最良の形態】
【００３０】
以下、本発明を図面により詳細に説明する。図１及び図２の一部は本発明を適用した機器制御システムの一実施形態を示す機能ブロック図である。本発明において、クライアントの生活情報は、図２及び図１の一部で既に説明した睡眠段階推定手段１９の記憶保持手段１８より与えられる６段階睡眠情報及び連続的睡眠段階情報を含む生体情報Ｓｉと、図２のブロック１００で示す状態検出手段からの状態情報Ｆ１である。主要部の説明に先立ち、状態検出手段１００の概要を説明する。
【００３１】
状態検出手段１００において、１０１は不在室／在室検出手段であり、画像処理手段１１からのクライアントの動きより不在室／在室を検出する。１０２は離床／在床検出手段であり、フィルタ手段５からの心拍情報より離床／在床を検出する。１０３は連打音（ベッドを叩く）検出手段であり、フィルタ５より得られる打音信号から連打音を判断して出力する。
【００３２】
連打音は、クライアントが目覚めてから離床するまでの間に、クライアント自身の意思で照明の点灯、暖房を入れたりする等の操作を行う制御段階に進めるための要求手段として使用される。
【００３３】
図３は不在室／在室検出手段１０１の構成例を示す機能ブロック図、図４は動作を説明する波形図である。クライアントの動きを検出したアナログ信号がスレッシュホールド値を有する動き検出部で比較され、動き検出信号パルスとなり、リトリガラブルモノマルチをトリガする。トリガ間隔が設定時間τ未満であればリトリガラブルモノマルチのＱ出力はＨで在室、トリガ間隔が設定時間τ以上であればリトリガラブルモノマルチは反転し、Ｑバー（Ｑの反転出力）出力はＨとなり、不在室出力となる。
【００３４】
図５は、離床／在床検出手段１０２の構成例を示す機能ブロック図、図６は動作を説明する波形図である。心拍を示すアナログ信号がスレッシュホールド値を有する心拍検出部で比較され、心拍検出信号パルスとなり、リトリガラブルモノマルチをトリガする。トリガ間隔が設定時間τ未満であればリトリガラブルモノマルチのＱ出力はＨで在床、トリガ間隔が設定時間τ以上であればリトリガラブルモノマルチは反転し、Ｑバー出力はＨとなり、離床となる。
【００３５】
図７は、連打音検出手段１０３の構成例を示す機能ブロック図、図８は動作を説明する波形図である。打音を示すアナログ信号がスレッシュホールド値を有する打音検出部で比較され、打音検出信号パルスとなり、フリップフロップＦＦ１をセットして動作開始し、タイマを起動すると共にカウンタで計数される。
【００３６】
タイマの動作時間内にカウンタが所定数のパルスを計数すると、このカウンタ出力でフリップフロップＦＦ２が反転して連打音検出信号を出力する。タイマのカウントアップによりフリップフロップＦＦ１はリセットされ、タイマも初期状態に戻る。
【００３７】
次に打音が発生すると前記ルーチンがスタートするが、タイマのカウントアップ内に所定個数のカウント出力がない場合にはこの連打音出力は変化しない。従って、いったん連打音検出信号を出力すると、その状態が継続するので、遅延回路を設けて所定時間経過したとき、及び離床があったときに検出手段全体をリセットするように構成されている。
【００３８】
図９は連打音検出手段１０３の他の構成例を示す機能ブロック図、図１０は動作を説明するフローチャートである。図７の構成ではタイマの設定時間内に所定個数のパルスを計数した場合に連打音と判断するものであるが、図９の構成では周期的連打音検出部のアルゴリズムで打音周期の最大と最小を監視し、所定条件に合致した打音を連打音とする。
【００３９】
打音検出部では、一定閾値以上の打音信号を受けると、打音検出信号を出力する。周期的連打音検出部では、一つの打音検出信号を受けると、その次の打音検出信号がＴminより長くＴmaxよりも短い時間範囲内にあるかどうかを計測し、その時間範囲内にある場合には、更にその次の打音検出信号がＴminより長くＴmaxよりも短い時間範囲内にあるかどうかを計測する。
【００４０】
一つの打音検出信号を受けてから、Ｔminより長くＴmaxよりも短い時間範囲内で次の打音検出信号を受けることをＮ回繰り返すと、周期的連打音が検出されたと判断して周期的連打音検出信号を出力する。
【００４１】
一つの打音検出信号を受けてから、その次の打音検出信号をＴmin以前に、又はＴmax以後に受けた場合には、連打音検出動作をリセットスタートさせる。周期的連打音検出信号が出力されると、その立ち上がりエッジで後段フリップフロップがセットされ、連打音検出信号がＨ（“連打音検出”）になる。
【００４２】
クライアントの離床でフリップフロップはリセットされ、連打音検出信号がＬになる。連打音検出信号がＨになってから離床が無い場合には、遅延回路の出力信号により、ある一定時間経過後にフリップフロップがリセットされ、連打音検出信号がＬになる。
【００４３】
以上説明した状態検出手段１００で得られるクライアントの離床／在床、不在室／在室、連打音の情報は、状態情報Ｆ１として本発明機器制御システムに利用される。以下、図１により本発明機器制御システムの主要部につき説明する。
【００４４】
本発明機器制御システムは、大きな機能ブロックとしては制御段階出力手段２００と操作手段３００よりなる。制御段階出力手段２００は、クライアントの生活情報、即ち生体情報Ｓｉ（６段階睡眠情報Ｓａ又は連続睡眠（以下睡眠状態）情報Ｓｃ）及び状態情報Ｆ１の推移データが所定の条件を満たすときに複数の制御段階の１つを決定し、更にデータの推移により他の条件を満たす場合には制御段階を更新する。操作手段３００は、決定された制御段階情報に基づいてその制御段階で最適な生活環境をクライアントに提供するために使用機器の操作状態を調整する。
【００４５】
制御段階出力手段２００において、２０１は初期化信号作成手段であり、睡眠段階推定手段１９より入力される生体情報Ｓｉと、状態検出手段１００で得られる状態情報Ｆ１から不在室及び離床情報を入力して初期化信号Ｒｓを生成する。
【００４６】
図１１は、初期化信号作成手段の構成例を示す機能ブロック図、図１２は動作を説明する波形図である。生体情報Ｓｉに基づいて覚醒検出手段により得られる覚醒情報又は不在室情報又は離床情報が発生すると、タイマが起動され、タイムアップ以後もいずれかの信号が継続する場合に初期化信号Ｒｓを発生する。
【００４７】
この初期化信号は、睡眠周期回数計数手段２０２、指定睡眠段階計数手段２０３、睡眠評価指数算出手段２０４をリセットすると共に、制御段階情報Ｍｉを出力する制御段階情報カウンタ２０７をリセットする。
【００４８】
睡眠周期回数計数手段２０２、指定睡眠段階計数手段２０３、睡眠評価指数算出手段２０４には生体情報Ｓｉが入力され、３個のカテゴリーによりクライアントの生活情報の推移データが計数又は算出される。
【００４９】
睡眠周期回数計数手段２０２は、生体情報Ｓｉの変化の繰り返し数を計数する。その計数値は初期化信号Ｒｓ又は制御段階更新信号Ｍｃでリセットされる。図１３は、睡眠周期回数計数手段２０２の構成例を示す機能ブロック図、図１４はその動作を説明する波形図である。
【００５０】
各睡眠段階に対して次のように数値を対応づける。
覚醒      ：５
ＲＥＭ    ：４
ノンレム１：３
ノンレム２：２
ノンレム３：１
ノンレム４：０
【００５１】
睡眠段階差分算出手段では、ある一定周期で睡眠段階をサンプリングして、
（現在の睡眠段階に対応した値）−（直前の睡眠段階に対応した値）
を算出し、その結果を一定時間出力する。
【００５２】
図では初めに眠りが深くなる例を示している。睡眠段階がノンレム１からノンレム２に遷移している。その遷移直後のサンプリング時点では、
（ノンレム２に対応した値２）−（ノンレム１に対応した値３）＝−１
となり、睡眠段階差分算出手段は−１を一定時間出力する。
【００５３】
極性弁別手段では、入力として−１を受け取ると−極性出力がＨとなる。−極性出力がＨになると、フリップフロップをリセットする。この例では、すでに初期化信号＋制御段階更新信号によってフリップフロップおよびカウンタはリセットされているので、睡眠周期回数計数値は０となっている。
【００５４】
同様に、次のノンレム２からノンレム３への遷移直後のサンプリング時点およびその次のノンレム３からノンレム４への遷移直後のサンプリング時点でも、睡眠段階差分は−１となり、−極性出力がＨとなる。
【００５５】
次の段階では、眠りが浅くなる方向に進む。ノンレム４からノンレム３への遷移直後のサンプリング時点では、
（ノンレム３に対応した値１）−（ノンレム４に対応した値０）＝１
となり、睡眠段階差分算出手段は＋１を一定時間出力する。
【００５６】
極性弁別手段では、入力として＋１を受け取ると＋極性出力がＨとなる。＋極性出力がＨになると、フリップフロップをセットし、そのＱバー出力はＬとなる。同様に、次のノンレム３→ノンレム２→ノンレム１→ＲＥＭへの遷移直後のサンプリング時点でも、睡眠段階差分は＋１となり、＋極性出力がＨとなる。
【００５７】
その次は、再び眠りが深くなる方向に進む。ＲＥＭからノンレム１への遷移直後のサンプリング時点では、
（ノンレム１に対応した値３）−（ＲＥＭに対応した値４）＝−１
となり、睡眠段階差分算出手段は−１を一定時間出力する。
【００５８】
極性弁別手段では、入力として−１を受け取ると−極性出力がＨとなる。−極性出力がＨとなると、フリップフロップをリセットする。フリップフロップのＱバー出力の立ち上がりエッジでカウンタの内容は＋１されて＋１となる。即ち、睡眠周期回数計数値は１となる。
【００５９】
図１５は、睡眠周期回数計数手段２０２の他の構成例を示す機能ブロック図、図１６はその動作を説明する波形図である。
【００６０】
眠りが深くなる方向から眠りが浅くなる方向へ変化した、逆に眠りが深くなる方向から眠りが浅くなる方向へ変化したとの判断基準は、それ以前の眠りの方向とは逆方向への睡眠段階の遷移が２回以上連続することである。
【００６１】
図１３の構成例との違いは、その判断基準が異なる点だけである。図１３の構成では、その判断基準はそれ以前の眠りの方向とは逆方向への睡眠段階の遷移が１回だけであり、ノイズによる誤動作の可能性があので、遷移が２回以上連続することを要件としたものである。それ以外の構成と動作は、図１３と同じである。
【００６２】
図１５では、極性弁別手段とフリップフロップ間にカウンタ（＋）、カウンタ（−）及び夫々のリセット入力用のＯＲゲートが追加されている構成が図１３と異なる。図の例では、それぞれのカウンタのトリガ入力端子に２発のパルスが入力されると、それぞれのＱ出力はＨとなる。
【００６３】
カウンタのトリガ入力端子にパルスが１発入力された後に、それまでとは反対方向への睡眠段階の遷移が発生すると、カウンタはリセットされてしまう。従って、それぞれのカウンタのＱ出力がＨになるためには、極性弁別手段の（＋）極性出力または（−）極性出力が連続して２発出力されなければならない。
【００６４】
指定睡眠段階計数手段２０３は、生体情報Ｓｉ、不在室，離床，連打音検出信号を入力し、制御段階指定情報ｈａによって指定される睡眠段階、睡眠状態、不在室、離床又は連打音検出への到達回数を計数し、後述の制御段階更新信号Ｍｃ又は初期化信号Ｒｓでリセットされる。
【００６５】
図１７は、指定睡眠段階計数手段２０３の構成例を示す機能ブロック図である。生体情報Ｓｉ又は不在室又は離床又は連打音検出と制御段階指定情報ｈａが条件合致検出手段で照合され、条件合致であれば指定睡眠段階計数カウンタを＋１インクリメントし、指定睡眠段階計数値を出力する。
【００６６】
睡眠評価指数算出手段２０４は、生体情報Ｓｉを入力し、制御段階指定情報ｈａによって指定される評価関数に基づいてＳｉを変数とする関数演算を実行して睡眠評価指数値を算出すると共に、制御段階更新信号Ｍｃ又は初期化信号Ｒｓでリセットされる。
【００６７】
図１８は、睡眠評価指数算出手段２０４の構成例を示す機能ブロック図であり、指定評価関数として積分が指定された場合を示す。図１９は、積分演算結果を示すタイムチャートであり、斜線で示した面積が睡眠の質を評価する指数値となる。
【００６８】
又、図としては無いが、指定評価関数として微分関数を用いることにより、眠りの深くなる変化率がある値以上又はある値以下になったら、又は眠りの浅くなる変化率がある値以上又はある値以下になったら次の制御段階に進ませるということが可能になる。
【００６９】
２０８は制御段階指定手段であり、外部から与えられる制御段階指定情報Ｆ２を格納する制御段階指定情報格納部２０８ａと、制御段階情報Ｍｉによりその制御段階における制御段階指定情報Ｆ２を選択するセレクタ２０８ｂを有する。
【００７０】
制御段階指定情報Ｆ２で指定されたパラメータ及び睡眠評価関数に基づいて、睡眠周期回数計数手段２０２，指定睡眠段階計数手段２０３，睡眠評価指数算出手段２０４は計数又は算出し、セレクタ２０５に睡眠周期回数計数手段２０２の計数出力をｄ１で、指定睡眠段階計数手段２０３の計数出力をｄ２で、睡眠評価指数算出手段２０４算出出力をｄ３で与える。
【００７１】
それらの計数値または算出値出力（ｄ１乃至ｄ３）のいずれかが制御段階指定情報ｈｂによりセレクタ２０５で選択され、条件合致検出手段２０６により条件制御段階指定情報ｈｃで指定された条件に合致した時に、制御段階更新信号Ｍｃを出力する。
【００７２】
制御段階更新信号Ｍｃが出力されると、制御段階情報カウンタ２０７の内容は＋１インクリメントされ、制御段階情報信号Ｍｉが更新される。同時にＯＲゲート２０９を介して、睡眠周期回数計数手段２０２，指定睡眠段階計数手段２０３，睡眠評価指数算出手段２０４をリセットする。
【００７３】
次に、操作手段３００の構成を説明する。３０１は第１演算手段であり、機器４００の制御部４０１の設定値Ｓを演算出力する。３０２は第２演算手段であり、制御部４０１電源のＯＮ／ＯＦＦ信号Ｐ１及び機器４００電源のＯＮ／ＯＦＦ信号Ｐ２を演算出力する。
【００７４】
３０３は外部設定値指定手段であり、外部設定値指定情報Ｆ４を格納し、外部設定値Ｓｅを第１演算手段３０１に入力する。生体情報Ｓｉ及び状態情報Ｆ１は、第１演算手段３０１及び第２演算手段３０２に機器制御のための測定値として共通に入力される。
【００７５】
３０４は操作関数指定手段であり、操作関数指定情報格納部３０４ａ及びセレクタ３０４ｂを有する。操作関数指定情報格納部３０４ａは、外部から与えられる操作関数指定情報Ｆ３を格納し、各制御段階における第１及び第２演算手段への操作関数を指定する。
【００７６】
セレクタ３０４ｂは、制御段階出力手段２００からの制御段階情報Ｍｉを入力し、指定される制御段階の操作関数指定情報Ｆ及びＧ１，Ｇ２を第１演算手段３０１及び第２演算手段３０２に与える。
【００７７】
第１演算手段３０１は、不在室／在室、離床／在床、連打音検出、睡眠段階又は睡眠状態を変数とする、それぞれの制御段階に対応した操作関数を使用し、その操作関数と外部からの設定値とで、機器の制御部４０１に与える設定値Ｓを調整する。ここでの設定値としては、制御部及び機器の入出力特性の入力値のみならず、制御部及び機器が有する機器の運転、停止等の機能に対する制御情報も含む。
【００７８】
同様に、第２演算手段３０２は、不在室／在室、離床／在床、連打音検出、睡眠段階又は睡眠状態を変数とする、それぞれの制御段階に対応した操作関数を使用し、機器制御部４０１又は機器４００の電源をＯＮ／ＯＦＦする操作信号Ｐ１又はＰ２を発生させる。
【００７９】
図２０は、制御段階及びその段階における制御段階指定情報Ｆ２及び操作関数指定情報Ｆ３の例を示すテーブルであり、例１は制御段階が２段の場合、例２及び例３は制御段階が３段の場合を例示している。Ｆ３の具体例は、図２１で説明する。
【００８０】
例１につき説明する。制御段階１では、睡眠段階パラメータｈａ１としてノンレム４が指定され、選択パラメータｈｂ１として２の指定睡眠段階計数手段２０３の出力が指定され、合致パラメータｈｃ１として１回が指定されている。
【００８１】
つまり、ノンレム睡眠４に１回到達すれば制御段階更新要件が満足され、条件合致検出手段２０６より制御段階更新信号Ｍｃが発生し、制御段階情報カウンタ２０７は＋１インクリメントされ、制御段階は２に遷移することになる。
【００８２】
制御段階２では、睡眠評価関数ｈａ２として０が指定され、選択パラメータｈｂ２として３の睡眠評価指数算出手段２０４の出力が指定され、合致パラメータｈｃ２として十分大きな任意数１００回が指定されている。この場合では、関数０が１００になることはあり得ないので、合致が発生することはなく、制御段階は２のまま継続することになる。
【００８３】
例２では、制御段階１で睡眠周期回数が２に達すると制御段階２に遷移し、ここでノンレム睡眠１への到達回数が２に達すると制御段階３に遷移し、ここで関数０の演算となるので、例１と同様に、以降この制御段階３を継続する。
【００８４】
例３では、制御段階１で評価関数としてＳｉの積分関数が指定されその演算指数が０.５に達すると制御段階２に遷移し、ここでＲＥＭ睡眠への到達回数が１に達すると制御段階３に遷移し、ここで関数０の演算となるので、例１と同様に、以降この制御段階３を継続する。
【００８５】
図２１は、図２０で説明した例１における制御段階１及び２における第１演算手段３０１への設定値を調整する操作関数指定情報Ｆ及び第２演算手段３０２への電源ＯＮ／ＯＦＦ用操作関数指定情報Ｇ１，Ｇ２の出力例である。
【００８６】
（Ａ）に示す第１段階では、生体情報又は状態情報入力が不在室ではＦ＝０で、Ｇ１，Ｇ２はＯＦＦ、離床，連打音，覚醒ではＦ＝１である。ＲＥＭ以降では、睡眠段階の遷移に従ってＦは０.１ずつ低下し、機器の運転出力を低下させる。Ｇ１，Ｇ２は不在室以外ではＯＮを維持させる。
【００８７】
（Ｂ）に示す第２段階では、離床と連打音の入力でＦ＝１となる以外はＦ＝０で機器の運転を停止状態とする。Ｇ１，Ｇ２も離床と連打音の入力でＯＮとなる以外ではＯＦＦを維持する。
【００８８】
以上説明した実施形態では、睡眠段階推定手段１９より得られる睡眠段階としては、名義的に同定される、覚醒，ＲＥＭ，ノンレム１，ノンレム２，ノンレム３，ノンレム４の６段階が用いられている。
【００８９】
しかしながら、制御対象の機器によっては、上記６段階までの細かい分類は不要で下記のような粗い分類でも充分な場合がある。
粗い分類例１：
（１）覚醒
（２）ＲＥＭ
（３）ノンレム１＋ノンレム２
（４）ノンレム３＋ノンレム４
【００９０】
粗い分類例２：
（１）覚醒
（２）ＲＥＭ
（３）ノンレム１〜４
【００９１】
粗い分類例３：
（１）覚醒
（２）ＲＥＭ＋ノンレム１〜４
【００９２】
本発明では、生体情報Ｓｉとしては睡眠段階情報Ｓａのみではなく、連続信号で与えられる睡眠状態情報Ｓｃも対象としている。この睡眠状態情報Ｓｃは、心拍Ｉｂを入力する睡眠段階推定演算部９の動的モデル１２より精度良く得られるものであるが、もっと簡略に検出する構成も可能である。
【００９３】
眠りに応じて機器を制御する場合、睡眠段階まで詳しく検出・推定しなくとも、現在、ある眠りの段階（覚醒・浅い眠りまたは深い眠りの状態）に留まっているのか、眠りが深くなりつつあるのか、それとも眠りが浅くなりつつあるのか、その眠りの方向さえ分かれば十分な場合がある。ここでは、それを「睡眠状態」と呼ぶことにする。
【００９４】
睡眠状態を検出することは、比較的容易に実現できる。眠りの深さと心拍数とには相関があり、眠りが深くなるにつれて心拍数が少なくなり、逆に眠りが浅くなるにつれて心拍数が多くなる。したがって、心拍情報だけでも睡眠状態を検出できる。
【００９５】
その睡眠状態の分類例として、次のものがある。
（１）覚醒又は浅い眠りＷ
（２）眠りが深くなりつつある状態Ｄ
（３）眠りが深い状態Ｓ
（４）眠りが浅くなりつつある状態Ｉ
【００９６】
図２２及び図２３は、心拍情報に基づいて前記睡眠状態Ｗ，Ｄ，Ｓ，Ｉを抽出するための機能ブロック図及び波形図である。心拍は、心拍数計数手段で計数されて心拍数信号となり、差分算出手段により差分値に変換される。この差分値は、マイナス側が眠りが深くなる方向、プラス側が眠りが浅くなる方向を表す。
【００９７】
この差分値は、移動平均演算手段で移動平均信号に変換され、正側及び負側のレベル検出手段により眠りが深くなる方向Ｄ及び眠りが浅くなる方向Ｉを表すパルス信号に変換される。
【００９８】
Ｄのパルスの立ち上がりでフリップフロップがセットされ、Ｉのパルスの立ち上がりでフリップフロップがリセットされるので、フリップフロップのＱ出力及びＱバー出力は図２３の波形図（Ｇ）及び（Ｉ）となる。ゲート１はＤ及びＩを入力するＮＯＲゲートであり、その出力は（Ｆ）であり、Ｄ及びＩが変化しない静止状態を示す。
【００９９】
アンドゲート２は、ＮＯＲゲート１の出力とフリップフロップのＱ出力を入力とし、その出力は（Ｈ）で示され、深い眠りＳを表す。アンドゲート３は、ＮＯＲゲート１の出力とフリップフロップのＱバー出力を入力とし、その出力は（Ｊ）で示され、覚醒又は浅い眠りＷを表す。
【０１００】
図１に示した実施形態では、図を簡単にするために、機器４００および制御部４０１は１つしか記述していないが、単一機器のみならず複数機器の制御も可能である。その場合には、設定値用の第１演算手段と電源ＯＮ／ＯＦＦ用の第２演算手段が最大で機器数分必要になる。
【０１０１】
更に、操作関数指定情報格納部３０４ａに格納される操作関数指定情報も各制御段階において最大で機器数分必要になる。又、外部設定値指定手段３０３および外部設定値指定情報Ｆ４も最大で機器数分必要になる。
【０１０２】
第１，第２演算手段３０１，３０２と機器４００およびその制御部４０１との接続形態は、個々に直接有線または無線接続する形態がある。又、複数の演算手段の出力を送信インタフェース経由で有線ＬＡＮまたは無線ＬＡＮに接続し、機器側の受信インタフェースによって設定値、電源ＯＮ／ＯＦＦ信号を受信して機器およびその制御部に与える接続形態も可能である。
【図面の簡単な説明】
【０１０３】
【図１】本発明を適用した機器制御システムの一実施形態を示す機能ブロック図である。
【図２】特許文献１に開示されている、睡眠の段階を名義的尺度で同定する睡眠段階推定手段及び状態検出手段の機能ブロック図である。
【図３】不在室／在室検出手段の構成例を示す機能ブロック図である。
【図４】図３の動作を説明する波形図である。
【図５】離床／在床検出手段の構成例を示す機能ブロック図である。
【図６】図５の動作を説明する波形図である。
【図７】連打音検出手段の構成例を示す機能ブロック図である。
【図８】図７の動作を説明する波形図である。
【図９】連打音検出手段の他の構成例を示す機能ブロック図である。
【図１０】図９の動作を説明するフローチャートである。
【図１１】初期化信号作成手段の構成例を示す機能ブロック図である。
【図１２】図１１の動作を説明する波形図である。
【図１３】睡眠周期回数計数手段の構成例を示す機能ブロック図である。
【図１４】図１３の動作を説明する波形図である。
【図１５】睡眠周期回数計数手段の他の構成例を示す機能ブロック図である。
【図１６】図１５の動作を説明する波形図である。
【図１７】指定睡眠段階計数手段の構成例を示す機能ブロック図である。
【図１８】睡眠評価指数算出手段の構成例を示す機能ブロック図である。
【図１９】図１８の動作を説明するタイムチャートである。
【図２０】制御段階指定情報の例を示すテーブルである。
【図２１】操作関数指定情報の出力例である。
【図２２】睡眠状態検出手段の構成例を示す機能ブロック図である。
【図２３】図２２の動作を説明する波形図である。
【符号の説明】
【０１０４】
３  クライアント
１９  睡眠段階推定手段
１００  状態検出手段
１０１  不在室／在室検出手段
１０２  離床／在床検出手段
１０３  連打音検出手段
２００  制御段階出力手段
２０１  初期化信号作成手段
２０２  睡眠周期回数計数手段
２０３  指定睡眠段階計数手段
２０４  睡眠評価指数算出手段
２０５  セレクタ
２０６  条件合致検出手段
２０７  制御段階情報カウンタ
２０８  制御段階指定手段
２０８ａ  制御段階指定情報格納部
２０８ｂ  セレクタ
２０９  ＯＲゲート
３００  操作手段
３０１  第１演算手段
３０２  第２演算手段
３０３  外部設定値指定手段
３０４  操作関数指定手段
３０４ａ  操作関数指定情報格納部
３０４ｂ  セレクタ
４００  機器
４０１  制御部
Ｓｉ  生体情報
Ｆ１  状態情報
Ｆ２  制御段階指定情報
Ｆ３  操作関数指定情報
Ｆ４  外部設定値指定情報
【図１】
2005253847.tif 000003
【図２】
2005253847.tif 000004
【図３】
2005253847.tif 000005
【図４】
2005253847.tif 000006
【図５】
2005253847.tif 000007
【図６】
2005253847.tif 000008
【図７】
2005253847.tif 000009
【図８】
2005253847.tif 000010
【図９】
2005253847.tif 000011
【図１０】
2005253847.tif 000012
【図１１】
2005253847.tif 000013
【図１２】
2005253847.tif 000014
【図１３】
2005253847.tif 000015
【図１４】
2005253847.tif 000016
【図１５】
2005253847.tif 000017
【図１６】
2005253847.tif 000018
【図１７】
2005253847.tif 000019
【図１８】
2005253847.tif 000020
【図１９】
2005253847.tif 000021
【図２０】
2005253847.tif 000022
【図２１】
2005253847.tif 000023
【図２２】
2005253847.tif 000024
【図２３】
2005253847.tif 000025